(57)【特許請求の範囲】
【請求項１】
表示部を持つ端末装置とネットワーク接続され、手差給紙口を持つプリンタにおいて、
上記端末装置から要求される印刷ジョブを記憶するための待ち行列記憶部と、
登録要求された印刷ジョブが上記手差給紙口にセットされた用紙を用いて印刷する手差印刷ジョブであるか否かを判断する第１の判断手段と、
上記第１の判断手段で、登録要求された印刷ジョブが手差印刷ジョブであると判断された場合、上記待ち行列記憶部に登録されている印刷ジョブ中に既に手差印刷ジョブがあるか否かを判断する第２の判断手段と、
上記第２の判断手段で手差印刷ジョブが登録された印刷ジョブ中にあると判断された場合、上記登録要求された手差印刷ジョブの登録を拒否する拒否手段と、
手差印刷ジョブを登録要求した上記端末装置に手差印刷ジョブの登録が拒否されたことを通知する通知手段と、
を備えたことを特徴とするプリンタ。
【請求項２】
表示部を持つ端末装置とネットワーク接続され、手差給紙口を持つプリンタの印刷制御方法であって、この印刷制御方法は、
上記端末装置から要求される印刷ジョブを記憶するための待ち行列記憶ステップと、
登録要求された印刷ジョブが上記手差給紙口にセットされた用紙を用いて印刷する手差印刷ジョブであるか否かを判断する第１の判断ステップと、
上記第１の判断ステップで、登録要求された印刷ジョブが手差印刷ジョブであると判断された場合、上記待ち行列記憶ステップにより登録された印刷ジョブ中に既に手差印刷ジョブがあるか否かを判断する第２の判断ステップと、
上記第２の判断ステップで手差印刷ジョブが登録された印刷ジョブ中にあると判断された場合、上記登録要求された手差印刷ジョブの登録を拒否する拒否ステップと、
手差印刷ジョブを登録要求した上記端末装置に手差印刷ジョブの登録が拒否されたことを通知する通知ステップと、
からなるものであることを特徴とする印刷制御方法。
【請求項３】
ネットワークと、このネットワークと接続された表示部を持つ端末装置と、前記ネットワークと接続された手差給紙口を持つプリンタとからなるネットワークシステムにおいて、このネットワークシステムは、
上記端末装置から要求される印刷ジョブを記憶するための待ち行列記憶部と、
登録要求された印刷ジョブが上記手差給紙口にセットされた用紙を用いて印刷する手差印刷ジョブであるか否かを判断する第１の判断手段と、
上記第１の判断手段で、登録要求された印刷ジョブが手差印刷ジョブであると判断された場合、上記待ち行列記憶部に登録されている印刷ジョブ中に既に手差印刷ジョブがあるか否かを判断する第２の判断手段と、
上記第２の判断手段で手差印刷ジョブが登録された印刷ジョブ中にあると判断された場合、上記登録要求された手差印刷ジョブの登録を拒否する拒否手段と、
手差印刷ジョブを登録要求した上記端末装置に手差印刷ジョブの登録が拒否されたことを通知する通知手段と、
を備えたものであることを特徴とするネットワークシステム。
【請求項４】
表示部を持つ端末装置が接続されるネットワークと、手差給紙口を持つプリンタとの間に介在させられるプリンタサーバであって、このプリンタサーバは、
上記端末装置から要求される印刷ジョブを記憶するための待ち行列記憶機能と、
登録要求された印刷ジョブが上記手差給紙口にセットされた用紙を用いて印刷する手差印刷ジョブであるか否かを判断する第１の判断機能と、
上記第１の判断機能で、登録要求された印刷ジョブが手差印刷ジョブであると判断された場合、上記待ち行列記憶機能により登録された印刷ジョブ中に既に手差印刷ジョブがあるか否かを判断する第２の判断機能と、
上記第２の判断機能で手差印刷ジョブが登録された印刷ジョブ中にあると判断された場合、上記登録要求された手差印刷ジョブの登録を拒否する拒否機能と、
手差印刷ジョブを登録要求した上記端末装置に手差印刷ジョブの登録が拒否されたことを通知する通知機能と、
を備えたものであることを特徴とするプリンタサーバ。
【請求項５】
表示部を持つ端末装置が接続されるネットワークと手差給紙口を持つプリンタとの間に介在させられるプリンタサーバのためのプログラムが記録された記録媒体であって、このプログラムは、
上記端末装置から要求される印刷ジョブを記憶するための待ち行列記憶機能と、
登録要求された印刷ジョブが上記手差給紙口にセットされた用紙を用いて印刷する手差印刷ジョブであるか否かを判断する第１の判断機能と、
上記第１の判断機能で、登録要求された印刷ジョブが手差印刷ジョブであると判断された場合、上記待ち行列記憶機能により登録された印刷ジョブ中に既に手差印刷ジョブがあるか否かを判断する第２の判断機能と、
上記第２の判断機能で手差印刷ジョブが登録された印刷ジョブ中にあると判断された場合、上記登録要求された手差印刷ジョブの登録を拒否する拒否機能と、
手差印刷ジョブを登録要求した上記端末装置に手差印刷ジョブの登録が拒否されたことを通知する通知機能と、
を上記プリンタサーバに果たさせるプログラムであることを特徴とする記録媒体。
【発明の詳細な説明】
【０００１】
【発明の属する技術分野】
本発明は、プリンタ、印刷制御方法、ネットワークシステム、プリンタサーバ、及び、記録媒体の分野の技術に関する。
【０００２】
【従来の技術】
近年、複数台のコンピュータを回線で結んでネットワーク（ＬＡＮ）を構成し資源の共有化をはかることが行われている。多くの場合、プリンタもこのネットワークに接続されており、少数のプリンタを多数のユーザで共用することが行われる。このようなネットワーク上のプリンタを利用するにあたって、ユーザは各コンピュータ上で作成した又は他から取り込んだ文書、図面、写真等の像をプリンタドライバを利用して印刷することができる。
【０００３】
一方、このようなネットワークに接続されるプリンタは、数百枚程度の用紙を収納することのできる用紙カセットをいくつか備えているとともに、通常使用頻度の少ない特別の用紙（例えば、ＯＨＰ用紙、はがき、その他非定型サイズの用紙）のための手差給紙口を備えている。
【０００４】
【発明が解決しようとする課題】
複数の印刷ジョブを記憶することができる上述のプリンタで手差印刷ジョブを実行しようとした場合、あるユーザが、手差印刷ジョブを登録して用紙を手差給紙口に置きに行った時に、手差給紙口に用紙が置かれていると、その用紙はユーザの所望の用紙に置きかえられる。即ち、ユーザが手差印刷ジョブを登録した後に、同じように他のユーザが手差印刷ジョブの登録をした場合には、すでに置いてある用紙は置き換えられてしまうので、先に登録した手差印刷ジョブは誤った用紙に印刷されてしまうといった問題がある。
【０００５】
本発明は上記した問題点を解決することを課題とするものである。
【０００６】
【課題を解決するための手段】
上記課題は以下の構成を有する発明によって解決される。
【０００７】
「第１の発明の解決手段」
表示部を持つ端末装置とネットワーク接続され、手差給紙口を持つプリンタにおいて、
上記端末装置から要求される印刷ジョブを記憶するための待ち行列記憶部と、
登録要求された印刷ジョブが上記手差給紙口にセットされた用紙を用いて印刷する手差印刷ジョブであるか否かを判断する第１の判断手段と、
上記第１の判断手段で、登録要求された印刷ジョブが手差印刷ジョブであると判断された場合、上記待ち行列記憶部に登録されている印刷ジョブ中に既に手差印刷ジョブがあるか否かを判断する第２の判断手段と、
上記第２の判断手段で手差印刷ジョブが登録された印刷ジョブ中にあると判断された場合、上記登録要求された手差印刷ジョブの登録を拒否する拒否手段と、
手差印刷ジョブを登録要求した上記端末装置に手差印刷ジョブの登録が拒否されたことを通知する通知手段と、
を備えたことを特徴とするプリンタ。
【０００８】
「第２の発明の解決手段」
表示部を持つ端末装置とネットワーク接続され、手差給紙口を持つプリンタの印刷制御方法であって、この印刷制御方法は、
上記端末装置から要求される印刷ジョブを記憶するための待ち行列記憶ステップと、
登録要求された印刷ジョブが上記手差給紙口にセットされた用紙を用いて印刷する手差印刷ジョブであるか否かを判断する第１の判断ステップと、
上記第１の判断ステップで、登録要求された印刷ジョブが手差印刷ジョブであると判断された場合、上記待ち行列記憶ステップにより登録された印刷ジョブ中に既に手差印刷ジョブがあるか否かを判断する第２の判断ステップと、
上記第２の判断ステップで手差印刷ジョブが登録された印刷ジョブ中にあると判断された場合、上記登録要求された手差印刷ジョブの登録を拒否する拒否ステップと、
手差印刷ジョブを登録要求した上記端末装置に手差印刷ジョブの登録が拒否されたことを通知する通知ステップと、
からなるものであることを特徴とする印刷制御方法。
【０００９】
「第３の発明の解決手段」
ネットワークと、このネットワークと接続された表示部を持つ端末装置と、前記ネットワークと接続された手差給紙口を持つプリンタとからなるネットワークシステムにおいて、このネットワークシステムは、
上記端末装置から要求される印刷ジョブを記憶するための待ち行列記憶部と、
登録要求された印刷ジョブが上記手差給紙口にセットされた用紙を用いて印刷する手差印刷ジョブであるか否かを判断する第１の判断手段と、
上記第１の判断手段で、登録要求された印刷ジョブが手差印刷ジョブであると判断された場合、上記待ち行列記憶部に登録されている印刷ジョブ中に既に手差印刷ジョブがあるか否かを判断する第２の判断手段と、
上記第２の判断手段で手差印刷ジョブが登録された印刷ジョブ中にあると判断された場合、上記登録要求された手差印刷ジョブの登録を拒否する拒否手段と、
手差印刷ジョブを登録要求した上記端末装置に手差印刷ジョブの登録が拒否されたことを通知する通知手段と、
を備えたものであることを特徴とするネットワークシステム。
【００１０】
「第４の発明の解決手段」
表示部を持つ端末装置が接続されるネットワークと、手差給紙口を持つプリンタとの間に介在させられるプリンタサーバであって、このプリンタサーバは、
上記端末装置から要求される印刷ジョブを記憶するための待ち行列記憶機能と、
登録要求された印刷ジョブが上記手差給紙口にセットされた用紙を用いて印刷する手差印刷ジョブであるか否かを判断する第１の判断機能と、
上記第１の判断機能で、登録要求された印刷ジョブが手差印刷ジョブであると判断された場合、上記待ち行列記憶機能により登録された印刷ジョブ中に既に手差印刷ジョブがあるか否かを判断する第２の判断機能と、
上記第２の判断機能で手差印刷ジョブが登録された印刷ジョブ中にあると判断された場合、上記登録要求された手差印刷ジョブの登録を拒否する拒否機能と、
手差印刷ジョブを登録要求した上記端末装置に手差印刷ジョブの登録が拒否されたことを通知する通知機能と、
を備えたものであることを特徴とするプリンタサーバ。
【００１１】
「第５の発明の解決手段」
表示部を持つ端末装置が接続されるネットワークと手差給紙口を持つプリンタとの間に介在させられるプリンタサーバのためのプログラムが記録された記録媒体であって、このプログラムは、
上記端末装置から要求される印刷ジョブを記憶するための待ち行列記憶機能と、
登録要求された印刷ジョブが上記手差給紙口にセットされた用紙を用いて印刷する手差印刷ジョブであるか否かを判断する第１の判断機能と、
上記第１の判断機能で、登録要求された印刷ジョブが手差印刷ジョブであると判断された場合、上記待ち行列記憶機能により登録された印刷ジョブ中に既に手差印刷ジョブがあるか否かを判断する第２の判断機能と、
上記第２の判断機能で手差印刷ジョブが登録された印刷ジョブ中にあると判断された場合、上記登録要求された手差印刷ジョブの登録を拒否する拒否機能と、
手差印刷ジョブを登録要求した上記端末装置に手差印刷ジョブの登録が拒否されたことを通知する通知機能と、
を上記プリンタサーバに果たさせるプログラムであることを特徴とする記録媒体。
【００１２】
【実施例】
通常、デジタル複写機は複写機としての機能とプリンタとしての機能を有している。本実施例において、デジタル複写機ないしは単に複写機といった場合、特に断りがなければ、それはデジタル複写機のプリンタとして機能に着目したものであって、この限りで実質上プリンタと区別されるものではない。
【００１３】
「システム概要」
図１は本発明のシステム構成図である。本システムはネットワークＮＷ、デジタル複写機１、プリンタサーバコンピュータＰＳ、複数のクライアントコンピュータＣＣ１〜ＣＣ４から構成される。プリンタサーバコンピュータＰＳ、複数のクライアントコンピュータＣＣ１〜ＣＣ４は、ネットワークＮＷを介して接続されており、これによつて、クライアン卜コンピュータＣＣ１〜ＣＣ４−プリンタサーバコンピュータＰＳ間、あるいはクライアントコンピュータＣＣ１〜ＣＣ４間どうしで、画像データや各種のコマンド等のデータ通信を行うことができる。
【００１４】
また、デジタル複写機１は、プリンタサーバコンピュータＰＳに接続されており、これによってデジタル複写機１は、原稿の複写をするといった通常の機能以外に、プリンタサーバコンピュータＰＳ経由でクライアントコンピュータＣＣ１〜ＣＣ４から受信した画像データを印刷することが可能となる。
【００１５】
「デジタル複写機の内部の概要」
図２は本発明に係るデジタル複写機１の全体構成を示す断面図である。
【００１６】
デジタル複写機１は、イメージリーダＩＲとページプリンタＰＲＴ及び外部インターフェースユニットＩＵとから構成されるデジタル複写機である。
【００１７】
イメージリーダＩＲの本体は、原稿台ガラス１８上に載置された原稿を画素に分解して読み取る走査系１０、走査系１０が出力する光電変換信号の量子化と種々の画像形成モードに応じた信号処理とを行う画像信号処理部２０、及び原稿に対応した画像データを記憶するメモリユニット部３０から構成されている。
【００１８】
そして、この本体の上部に原稿カバーを兼ねた付加装置である自動原稿送り装置（ＡＤＦＲ）５００が、その後端部を支点に開閉可能に組み付けられている。
【００１９】
走査系１０は、ライン走査方式の画像読み取り機構であって、原稿照射用ランプ１１とミラー１２とを有したスキャナ１９、固定ミラー１３ａ、１３ｂ、集光レンズ１４、ＣＣＤアレイからなるイメージセンサ１６、及びスキャナ１９を駆動するスキャンモータＭ２から構成されている。画像信号処理部２０及び、メモリユニット部３０については後述する。
【００２０】
ＡＤＦＲ５００は、原稿スタッカ５１０上にセットされた原稿を、給紙ローラ５０１、捌きローラ５０２、捌きパット５０３、中間ローラ５０４、レジストローラ５０５及び搬送ベルト５０６によって原稿排出トレイ５１１上に排出する。
【００２１】
ＡＤＦＲ５００には、原稿スケール５１２、原稿の有無を検出する原稿センサＳＥ５０、原稿サイズセンサＳＥ５１、及び排出センサＳＥ５２が設けられている。
【００２２】
ぺージプリンタＰＲＴは、露光制御信号を出力する印刷処理部４０、半導体レーザ６２を光源とする印刷ヘッド６０、感光体ドラム７１とその周辺装置からなる現像・転写系７０Ａ、定着ローラ対８４及び排出ローラ対８５などを有した定着・排出系７０Ｂ、及びユニット６００を含む循環式の用紙搬送系７０Ｃなどから構成され、イメージリーダＩＲから転送された画像データまたは外部インターフェースユニットＩＵを介して受信した画像データに基づいて電子写真プロセスによって複写画像を印刷する。
【００２３】
ページプリンタＰＲＴの下部には数百枚程度の用紙を収納できる２つの用紙カセット８０ａ、８０ｂ、用紙サイズ検出センサＳＥ１１、１２とＯＨＰ用紙、ハガキ、その他非定形サイズの用紙を収納できる手差給紙口８０ｃ、手差用紙サイズ検出センサＳＥ１３、及び、給紙用ローラ群が設けられている。
【００２４】
また、２つの用紙カセット及び手差給紙口の用紙有無を検出するエンプティセンサＳＥ１１Ｅ、ＳＥ１２Ｅ、ＳＥ１３Ｅも設けられている。
【００２５】
図３及び図４はデジタル複写機１の制御部１００の構成を示すブロック図である。
【００２６】
制御部１００は、９個のＣＰＵ１０１〜１０９を中心に構成され、これら各ＣＰＵ１０１〜１０９には、それぞれプログラムを格納したＲＯＭ１１１〜１１９が設けられている。なお、ＣＰＵ１０６はメモリユニット部３０内に、ＣＰＵ１０９は外部インターフェースユニット部ＩＵ内に設けられている。
【００２７】
ＣＰＵ１０１は、操作パネルＯＰの各種操作キーからの信号入力や表示の制御を行う。ＣＰＵ１０２は、画像信号処理部２０の各部の制御を行い、ＣＰＵ１０３は走査系１０の駆動制御を行う。ＣＰＵ１０４は、印刷処理部４０を含むページプリンタＰＲＴの制御を行う。
【００２８】
ＣＰＵ１０５は、制御部１００の全体的なタイミング調整、及び動作モードの設定のための処理を担う。そのため、ＣＰＵ１０５は、他のＣＰＵとのシリアル通信を行って、制御に必要なコマンドやレポートなどの送受を行う。
【００２９】
ＣＰＵ１０６は、画像情報の記憶及び読み出しの制御を行う。ＣＰＵ１０７は、ＡＤＦＲ５００による原稿搬送の制御を行う。そしてＣＰＵ１０８は、再給紙ユニット６００の制御を行う。
【００３０】
ＣＰＵ１０９は、外部インターフェースユニット部においてプリンタサーバコンピュータＰＳからの画像情報の受信及びメモリユニット部への転送制御を行う。
【００３１】
図５はメモリユニット部３０の構成を示す図である。
【００３２】
読み込み時は、イメージリーダＩＲで読み込まれた画像データＤ２が、まず入力ページメモリ３０１に転送される。
【００３３】
また入力ページメモリ３０１に転送された画像は圧縮器３０２によってページ単位で画像を圧縮し、符号メモリ３０３へ転送される。同様に、外部インターフェースユニットで受信した画像データも入力ページメモリ３０１に転送され、圧縮器３０２によってページ単位で画像を圧縮し、符号メモリ３０３へ転送される。
【００３４】
印刷時は、符号メモリ３０３内の圧縮された画像を伸張器３０４によって伸張する。また画像回転の必要な場合は伸張時にページ単位で回転器で回転処理を行い回転処理と伸張処理を同時に行う。伸張された画像データは出力ページメモリ３０５に転送される。
【００３５】
画像出力時は出力ページメモリ３０５から印刷処理部へ画像データが転送される。図３、図４中の太い矢印のデータ転送は、コピー速度の向上のために互いに独立して且つ平行に動作可能に構成されており、データがそれぞれ図示しないＤＭＡコントローラによりＤＭＡ転送されるようになっている。
【００３６】
また、メモリユニット部３０は、ＲＯＭ１１６に格納されているプログラムに従いＣＰＵ１０６が制御する。プログラムを動作させるときに必要なパラメータなどはシステムＲＡＭ１２６に格納する。
【００３７】
原稿画像の一時的な記憶に際しては、符号メモリ３０３はＲＡＭ１２６内に設けられた管理テーブルによって管理される。
【００３８】
図６はプリンタサーバコンピュータＰＳの構成図である。プリンタサーバコンピュータＰＳ本体は、プリンタサーバコンピュータＰＳの中央制御のためのＣＰＵγ０１、メモリγ０２、ハードディスクγ０４を制御するためのハードディスクコントローラγ０３、画像データの一時登録や各種データ記憶のためのハードディスクγ０４、クライアントコンピュータＣＣ１〜ＣＣ４とのネットワークＮＷ上のプロトコルを制御するためのネットワークコントローラγ０５、ディスプレイγ１１表示を制御するディスプレイコントローラγ０６、ディスプレイメモリγ０７、キーボードγ１２入力を制御するキーボードコントローラγ０８、マウスγ１３入力を制御するマウスコントローラγ０９、クライアントコンピュータＣＣ１〜ＣＣ４から受信するページ記述言語等で記述された画像データをビットマップ・イメージに展開するラスタイメージ発生部γ１４、デジタル複写機１との間の画像データやステータス情報の送受信を制御するＩ／Ｆコントローラγ１５からなり、これに、レイアウト・編集・メニュー表示等を行うためのディスプレイγ１１、サーバ管理者の指示を入力するためのキーボードγ１２、マウスγ１３を接続して操作するようになっている。
【００３９】
クライアントコンピュータＣＣ１〜ＣＣ４はプリンタサーバコンピュータＰＳとほぼ同様の構成を備えている。
【００４０】
図７は管理テーブルの概略図である。原稿を読み取って圧縮する際には、画像情報をジョブ単位で管理する必要があるため、ジョブ内で複数ページが分割されて記憶される。そこでテーブルは分割されたページ単位の情報を記憶するテーブル（Ｔ−２）と、ジョブ単位の情報を記憶するテーブル（Ｔ−１）を持っている。
【００４１】
ジョブ単位情報（Ｔ−１）は、ジョブＩＤとジョブの登録状態とページ管理情報はどこに記憶しているかといった情報と指定枚数（部数）、ＯＨＰと合紙コピーの設定の有無、給紙口選択情報を示すコピーモード等を記憶している。また、ページ管理情報（Ｔ−２）では、圧縮画像データがどこにあるかを記憶している。
【００４２】
ＣＰＵ１０６はＣＰＵ１０５からの指示により、入力ページメモリ３０１から画像データを読み出して圧縮する際に、管理テーブルの情報を作成しながら、圧縮器３０２を制御して符号メモリ３０３に圧縮画像データを格納していく。
【００４３】
また、画像データを出力する際には、それと逆の動作により符号メモリ３０３から圧縮画像データを読み出していく。管理テーブル内の情報は、該当ページの情報が正常に読み出され、オペレータの指定した枚数（部数）Ｍのコピーが完了したときに消去される。
【００４４】
次に、原稿読み込み印刷データ受信及び印刷に関するデジタル複写機１の動作シーケンスについて、各ＣＰＵ１０１〜１０６の間でやりとりされる要求コマンド（Ｑ）、レポート（Ａ）、又はデータの流れを中心に図８、図９に基づいて説明する。なお、同図中の［Ｑ］は「要求」を、同［Ａ］は「通知」を意味する省略である。
【００４５】
図８はプリンタサーバコンピュータＰＳからの印刷データ受信動作の概略のシーケンスを示す図である。
【００４６】
印刷データ受信動作では、外部インターフェースユニット部ＩＵからメモリユニット部３０へ画像データが転送される。
【００４７】
まず、全体のシーケンスを管理しているＣＰＵ１０５が、ＣＰＵ１０６に対してメモリ準備を要求する。これを受けて、ＣＰＵ１０６は内部ハードウェアに対しデュアルポートＲＡＭ（ＤＰＲＡＭ）１３６を介して外部インターフェースユニット部ＩＵからの画像データをメモリユニット部３０へ転送させるためのバス接続状態の設定を行う。
【００４８】
これらの設定が終わって準備が完了すると、ＣＰＵ１０６はＣＰＵ１０５に対してメモリ準備の完了を通知する。ＣＰＵ１０５がＣＰＵ１０６、１０９に対してデータ転送を要求すると、ＣＰＵ１０９がプリンタサーバコンピュータＰＳに対してデータ転送を要求する。
【００４９】
プリンタサーバコンピュータＰＳにおいてデータ転送準備が完了すると、印刷データ（画像データ）が外部インターフェースユニット部ＩＵからメモリユニット部３０に転送される。
【００５０】
ＣＰＵ１０９、１０６から転送完了が通知されると、ＣＰＵ１０５はＣＰＵ１０６に対してデータ圧縮を要求する。これを受けて、ＣＰＵ１０６は、各部の起動を行う。これによって圧縮処理が行われ、符号データが符号メモリ３０３に格納される。
【００５１】
圧縮処理が完了すると、ＣＰＵ１０６からＣＰＵ１０５に圧縮の完了を通知する。
【００５２】
図９は印刷動作の概略を示す図である。
【００５３】
印刷動作では、符号メモリ３０３から画像データが読み出され、その画像データに基づいて用紙に複写画像が印刷される。
【００５４】
ＣＰＵ１０５はＣＰＵ１０６に対してデータ伸張を要求する。ＣＰＵ１０６は各部の起動を行う。これによって伸張処理が行われ、画像データが出力ページメモリ３０５に書き込まれる。
【００５５】
伸張処理が終了すると、ＣＰＵ１０５はＣＰＵ１０６に対して出力ページメモリ３０５から画像データを読み出すためのメモリ準備要求を要求する。これを受けて、ＣＰＵ１０６は内部ハードウェアに対して出力ページメモリ３０５から印刷処理部４０へ画像データＤ３を出力するためのバス接続状態の設定、回転処理のための設定などを行う。
【００５６】
これらの設定が終わって準備が完了し、その通知を受けると、ＣＰＵ１０５はＣＰＵ１０６、１０４に対して印刷を要求する。ＣＰＵ１０４からＣＰＵ１０５に用紙の搬送状態を知らせる給紙レポートが送られ、その後、出力ページメモリ３０５から読み出された画像データＤ３が印刷処理部４０に出力され、印刷が行われる。
【００５７】
印刷が終了すると、ＣＰＵ１０６、ＣＰＵ１０４がＣＰＵ１０５に対して印刷完了レポート及びイジェクト完了レポートを送る。これらのレポートを受け取ったＣＰＵ１０５は、必要に応じてＣＰＵ１０６に対してメモリクリヤ要求を与える。
【００５８】
以下、フローチャートに基づいて、本発明の特徴ある制御を中心にデジタル複写機１の動作をさらに詳しく説明する。
【００５９】
図１０はデジタル複写機１の制御を統括するＣＰＵ１０５のメインフローチャートである。
【００６０】
ＣＰＵ１０５は、スタート（＃Ｂ００）すると、初期設定（＃Ｂ０１）を行った後、内部タイマのセット（＃Ｂ０２）、他のＣＰＵからの入力データをチェックする入力データ解析処理（＃Ｂ０３）、操作内容に応じて動作モードを定めるモード設定処理（＃Ｂ０４）、読み込み処理（＃Ｂ０５）、印刷処理（＃Ｂ０６）、コマンドを通信ポートに待機させる出力データセット（＃Ｂ０７）、その他の処理（＃Ｂ０８）、及び内部タイマの待ち合わせ（＃Ｂ０９）を繰り返し実行する。
【００６１】
図１１は、図１０におけるステップ＃Ｂ０６の印刷処理のサブルーチンフローチャートである。このサブルーチンでは、印刷に関するジョブの読み出し及び切り換えを行う。
【００６２】
印刷処理に入る（＃Ｄ００）と、ステップ＃Ｄ０１において、図７に示した管理テーブル（Ｔ−１）を見て、このテーブルにジョブが現在登録されているか否かをチェックする。
【００６３】
管理テーブルに何もジョブが登録されていなければ印刷すべきジョブが存在しないということであるから、そのままこのルーチンを抜ける（＃Ｄ９９）。
【００６４】
管理テーブルにジョブが登録されていれば、ステップ＃Ｄ０８に進み、図７の管理テーブル（Ｔ−１）内のジョブ待ち行列の先頭にあるジョブをこれから印刷するジョブとするために印刷ジョブＩＤの更新をするとともに、次のジョブの印刷シーケンスを実行（＃Ｄ０９）し、このサブルーチンを抜ける（＃Ｄ９９）。
【００６５】
本発明では、ユーザは、まず、自分の端末装置から手差印刷ジョブの登録要求を出し、登録された場合にのみ、その後、手差給紙口に用紙を置きに行くということが、手差印刷ジョブ操作の基本になる。
【００６６】
そこで、上記印刷シーケンス（ステップ＃Ｄ０９）において、上記手差印刷ジョブ印刷操作がなされた場合であって、予めプリンタに対して印刷ジョブが登録されておらず、手差印刷ジョブが、先頭のジョブとして登録された際に、プリンタがどのように動作するかについて、なお説明を加える。
【００６７】
上記の場合、手差給紙口に用紙が置かれていないままに、プリンタに対して手差印刷ジョブ実行指示が出されることになる。この際、プリンタはエンプティセンサＳＥ１３Ｅにより、手差給紙口に用紙がないことを認識しており、印刷シーケンスを即座に実行させずに、保留状態を維持する（この際、用紙がないことを手差印刷ジョブを登録したユーザに対し、ユーザ端末装置のディスプレイに表示して通知することも併せて行い、該当ユーザに用紙を置くように促す。）。
【００６８】
そしてその後、手差印刷ジョブを登録したユーザによって手差給紙口に用紙が置かれると、エンプティセンサＳＥ１３Ｅにより、そのことが検知され、その検知結果に基づいて印刷シーケンスの保留状態を解除し、印刷シーケンスの実行を開始させる。
【００６９】
なお、２つの用紙カセットに設けられたエンプティセンサＳＥ１１Ｅ、ＳＥ１２Ｅ等により、手差印刷ジョブ以外の印刷ジョブであっても、印刷ジョブを実行するための用紙がない場合、上記と同様に動作することにもなる。勿論、用紙がないことを該当印刷ジョブを登録したユーザに対し、ユーザ端末装置のディスプレイに表示して通知することも併せて行い、該当ユーザに用紙を置くように促すことも行う。
【００７０】
図１２は、ＣＰＵ１０６（メモリユニット）の動作のフローチャートを示す。
【００７１】
メモリユニットが動作開始（＃Ｆ００）すると、ステップ＃Ｆ０１において、このユニットの初期処理をし、内部タイマをセットする（＃Ｆ０２）。
【００７２】
ステップ＃Ｆ０３に進み内部の処理を要求するコマンドをＣＰＵ１０５より受信する。受信したコマンドをステップ＃Ｆ０４からステップ＃Ｆ０８までで解析・判断し、該当する場合、それぞれステップ＃Ｆ１０からステップ＃Ｆ１４までの処理に進み、内部タイマ終了かどうかをチェック（＃Ｆ０９）することにより、ステップ＃Ｆ０２からステップ＃Ｆ０９までの動作を一定時間毎に繰り返す。
【００７３】
ステップ＃Ｆ１０「メモリ準備」では、画像信号処理部２０や外部インターフェースＩＵからの画像データを受信する準備をする。
【００７４】
ステップ＃Ｆ１１「読み取りデータ受信」では、コピー時にＣＰＵ１０２から読み取りデータを受信する準備をする。データが来れば受け取る。
【００７５】
ステップ＃Ｆ１２「データ受信」では、印刷時にＣＰＵ１０９から画像データ、印刷モードを受け取る準備をする。データが来れば受け取る。
【００７６】
ステップ＃Ｆ１３「圧縮処理」では、圧縮器３０２によってページ単位で画像圧縮をする。
【００７７】
ステップ＃Ｆ１４「伸張処理」では、符号メモリ３０３の圧縮された画像を伸張器３０４によって伸張する。必要に応じ回転器による回転処理も行う。
【００７８】
図１３は、ＣＰＵ１０９（外部インターフェースユニット）の動作のフローチャートを示す。
【００７９】
電源投入によりこのルーチンがスタートする（＃Ｇ００）と、ステップ＃Ｇ０１において外部インターフェースユニットの初期設定をする。次に内部タイマをセットし（＃Ｇ０２）、ステップ＃Ｇ０３に進む。ステップ＃Ｇ０３では、デジタル複写機１の動作状態で前回チェックしたときから変化したものをチェックする。ステップ＃Ｇ０４においてステップ＃Ｇ０３でチェックしたステータスが有るかどうかを判定する。
【００８０】
ここで「有り」の場合にはステップ＃Ｇ０５に進みそのステータスの内容を解析し、ステップ＃Ｇ０６においてプリンタサーバコンピュータＰＳに通知するステータスデータをＳＣＳＩ用のフォーマットに変換し、ステップ＃Ｇ０７に進む。
【００８１】
ステップ＃Ｇ０４の判定が「無し」の場合は、ステップ＃Ｇ０８に進み、ここでプリンタサーバコンピュータＰＳから受信したコマンドを解析する。
【００８２】
解析した結果が次のステップ＃Ｇ０９からステップ＃Ｇ１２までのチェックで該当する場合、ステップ＃Ｇ１３からステップ＃Ｇ１６までの処理に分岐する。
【００８３】
ステップ＃Ｇ１３の「ポーリング応答」処理では、プリンタサーバコンピュータＰＳのポーリングに応答し、デジタル複写機１の動作状態を知らせる処理をする。
【００８４】
ステップ＃Ｇ１４の「印刷モード設定」処理では、印刷するモード、例えば、枚数、両面印刷、倍率等、を設定する処理をする。
【００８５】
ステップ＃Ｇ１５の「画像データ転送」処理では、受信した画像をメモリユニット部３０に転送する。
【００８６】
ステップ＃Ｇ１６の「ジョブ照会」処理では、図７に示した管理テーブルの状態をプリンタサーバコンピュータＰＳに教える。
【００８７】
これらの処理をした後、ステップ＃Ｇ０７に進む。
【００８８】
ステップ＃Ｇ０７では、内部タイマが終了したかどうかをチェックし、終了するまでこれを繰り返す。
【００８９】
内部タイマが終了したらステップ＃Ｇ０２に還り、再び先にみたそれ以下のルーチンを繰り返す。
【００９０】
「印刷シーケンスの概要」
図１４及び図１５はネットワークシステムの印刷シーケンスの概略図である。ここで、この２つの図は本来一つの図を点線の部分で上下に分割したものであり、プリンタサーバコンピュータＰＳ及びデジタル複写機１から下に向かって伸びる線はそれぞれ共通の＊１及び＊２を付した線に接続されることを示している。
【００９１】
ここでは、ユーザがクライアントコンピュータＣＣ１〜ＣＣ４上で印刷を指示してから、デジタル複写機１に印刷データが登録されるまでのシーケンスと、印刷データがデジタル複写機１から印刷された後、クライアントコンピュータＣＣ１〜ＣＣ４で動作する“ステータス表示アプリケーショシ”に印刷完了等のステータスが表示されるまでを説明する。
【００９２】
（ａ）  文書の作成
ユーザは、クライアントコンピュータＣＣ１〜ＣＣ４上で動作する文書作成アプリケーション＊１０１を用いて、目的の文書の作成・編集＊１０２をおこなう。
【００９３】
文書作成アプリケーションプログラム＊１０１は、通常そのハードディスクに記憶されており、ユーザが必要な時にそのメモリにロードし、そのＣＰＵで制御することで実行させる。
【００９４】
このとき、文書のレイアウトや印刷指示情報等は、ディスプレイコントローラやディスプレイメモリを用いてそのディスプレイに表示される。
【００９５】
また、ユーザの文字入力、画像編集、印刷指示などは、キーボードやマウスから行い、これらの情報はそれぞれキーボードコントローラ、マウスコントローラを介してＣＰＵに通知され処理される。
【００９６】
（ｂ）  プリンタドライバの起動
文書作成アプリケーション＊１０１で作成した文書を、プリンタサーバコンピュータＰＳがそのラスタイメージ発生部γ１４で画像データにラスタライズできるように特定のページ記述言語に翻訳したり、デジタル複写機１にある給紙口の指定やステープル、パンチなどの様々な動作モードを設定するために、ユーザはクライアントコンピュータＣＣ１〜ＣＣ４上で本実施例で説明しているデジタル複写機１専用のプリンタドライバ＊１０５をハードディスクからメモリにロードし起動する（＊１０３、＊１０４）。
【００９７】
（ｃ）  ステータス情報の取得
起動されたプリンタドライバ＊１０５は、デジタル複写機１そのものの機械的なステータスや、登録されているジョブのステータスを、プリンタサーバコンピュータＰＳとネットワークＮＷ及び各ネットワークコントローラを介して取得する（＊１０６→＊１０７→＊１０８→＊１０９）。
【００９８】
プリンタサーバコンピュータＰＳはこのときデジタル複写機１とＩ／Ｆコントローラγ１５を介して通信して（＊１０７）、デジタル複写機１のステータスを取得し（＊１０８）、それに、プリンタサーバコンピュータＰＳ内のメモリγ０２やハードディスクγ０４にスプールされているジョブの状態等も付加してクライアントコンピュータＣＣ１〜ＣＣ４に各ネットワークコントローラとネットワークＮＷを介して通知する（＊１０９）。
【００９９】
（ｄ）  印刷モードの設定
プリンタドライバ画面（図１６、図１７）上で、用紙サイズ、給紙口、印刷部数、ソートの有無、両面印刷の有無、ステープルの有無、パンチの有無など各種印刷動作モードを設定する（＊１１０）。
【０１００】
ただし、前記（ｃ）で取得したステータス情報により、設定が不可能な印刷動作モードについてはこの段階で設定を禁止する。例えば、プリンタサーバコンピュータＰＳやデジタル複写機内に既に手差給紙口から給紙するよう指示された別の印刷ジョブが存在している場合は、その印刷ジョブが印刷終了するまで手差給紙口の用紙を変更することが実際にはできないため、新たに手差給紙口を指定した印刷ジョブの設定を禁止する。
【０１０１】
（ｅ）  印刷スター卜
ユーザは印刷モードの設定（＊１１０）終了後、文書作成アプリケーション（＊１０１）で印刷スタート（＊１１１）を指示する。それに応じて、文書作成アプリケーション（＊１０１）からプリンタドライバ（＊１０５）に印刷スタートが指示され（＊１１２）、これにより、プリンタドライバ（＊１０５）はプリンタサーバコンピュータＰＳに前記（ｄ）で設定された印刷モードをネットワーク及び各ネットワークコントローラを介して通知する（＊１１３）。
【０１０２】
これに対してプリンタサーバコンピュータＰＳは、当印刷ジョブを受付可能と判断した場合に、折り返しプリンタドライバ（＊１０５）に対して印刷の受付を許可する旨の通知を行い（＊１１５）、この受付許可を受けたプリンタドライバ（＊１０５）はプリンタサーバコンピュータＰＳに向けて画像データを送信し、プリンタサーバコンピュータＰＳはこの画像データの受信を開始する（＊１１６）。
【０１０３】
（ｆ）  ラスタライズ〜画像レイアウト
プリンタドライバ（＊１０５）から出力される画像データは、通常、ビットマップイメージデータではなく、ぺージ記述言語で記述されている。デジタル複写機１で画像を印刷するためには、デジタル複写機１で印刷が可能なビットマップデータの形態に変換（ラスタライズ、＊１１７）して、デジタル複写機１に転送する必要がある。
【０１０４】
（ｇ）  画像スプール
前記（ｆ）でラスタライズが終了した画像データは、いったんプリンタサーバコンピュータＰＳ内のハードディスクγ０４に蓄積（スプール）される（＊１１９）。
【０１０５】
これにより、デジタル複写機１の状態に関わらず、例えば他の人の印刷ジョブを印刷中であっても、クライアントコンピュータＣＣ１〜ＣＣ４からの印刷ジョブを受け付けることができる。
【０１０６】
（ｈ）  ステータス表示アプリケーションの起動
クライアントコンピュータＣＣ１〜ＣＣ４上のプリンタドライバは、文書作成アプリケーションからの印刷データを、全てプリンタサーバコンピュータＰＳに転送し終わると、ステータス表示アプリケーションプログラム（＊１２７）がクライアントコンピュータＣＣ１〜ＣＣ４内のハードディスクから、同コンピュータのメモリ上にロードし起動される（＊１２８）。
【０１０７】
（ｉ）  デジタル複写機への印刷ジョブ転送
プリンタサーバコンピュータＰＳは適当なタイミングで、ジョブ登録要求をデジタル複写機１に出し（＊１２０）、デジタル複写機１からジョブ登録許可をうける（＊１２１）とスプ−ルされた印刷ジョブ（印刷モード情報及び画像データ）をデジタル複写機１へ転送する（＊１２２、＊１２３）。
【０１０８】
デジタル複写機１は受信した印刷モードに従って印刷する（＊１２４）。
【０１０９】
ここで、図１８はプリンタサーバコンピュータＰＳの動作の概略を示すフローチャートである。
【０１１０】
プリンタサーバコンピュータＰＳがスタート（＃Ｈ００）すると、初期設定（＃Ｈ０１）をし、内部タイマをセット（＃Ｈ０２）する。この内部タイマはＣＰＵの動作を制御するものではなく、プリンタサーバコンピュータＰＳの動作を制御するもので、数秒から数十秒のオーダーである。
【０１１１】
内部タイマセット後、サブルーチン「複写機へポーリング」（＃Ｈ０３）に入る。このサブルーチンは後述の図１９に示す。このサブルーチンを抜けるとステップ＃Ｈ０４において、デジタル複写機１に登録できるジョブの空きがあり、プリンタサーバコンピュータＰＳからデジタル複写機１に送るジョブが有るか否かを判断する。
【０１１２】
これが「有り」の場合には、ステップ＃Ｈ０５に進み、Ｉ／Ｆコントローラγ１５から図示しないＳＣＳＩケーブル、インターフェース１３９（図３）を介して印刷データ及び画像データを転送する。
【０１１３】
このステップを終えると、又は、ステップ＃Ｈ０４において「無し」の場合に、ステップ＃Ｈ０６に進む。ステップ＃Ｈ０６において、クライアントコンピュータＣＣ１〜ＣＣ４からコマンドが送られてきているかどうかをチェックし、コマンドがない場合には次のステップ＃Ｈ０９に進む。
【０１１４】
上記コマンドがある場合には、そのコマンドがステータスを要求するものであるときはステータスをクライアントコンピュータＣＣ１〜ＣＣ４へ送る。このコマンドがクライアントコンピュータＣＣ１〜ＣＣ４から印刷ジョブを受信するように要求するものであるときは、サブルーチン「クライアントから印刷ジョブ受信」を実行する。
【０１１５】
後述する図２２は、このサブルーチンのフローチャートである。
【０１１６】
ステップ＃Ｈ０９において、内部タイマが終了するのを待って、ステップ＃Ｈ０２に還り、以上に説明した処理を繰り返す。
【０１１７】
図１９は、図１８におけるサブルーチン・ステップ＃Ｈ０３の内容を表すフローチャートである。
【０１１８】
このサブルーチン「複写機へのポーリング」（＃Ｊ００）に入ると、ステップ＃Ｊ０１においてタイマセットをする。このタイマにより、デジタル複写機１本体の動作が正常に行われているかどうかを確認するために一定時間（数秒）でポーリング（ここでのポーリングは周期的にステータスを問い合わせることにより接続確認することを意味する。）する（＃Ｊ０３）。
【０１１９】
ステップ＃Ｊ０４、ステップ＃Ｊ０５において、デジタル複写機１から送られてくるステータスの受信完了をチェックし、完了までステータス受信を繰り返す。
【０１２０】
ステップ＃Ｊ０６において受信したステータスを解析し、その内容に応じて図２１に示すサブルーチン「サーバ内の管理テーブル更新」を実行したのち、このサブルーチンを抜ける（＃Ｊ９９）。
【０１２１】
（ｊ）  印刷終了の通知
デジタル複写機１は、プリンタサーバコンピュータＰＳから転送された印刷ジョブを印刷完了すると、印刷が終了したことをステータス情報で、プリンタサーバコンピュータＰＳに通知する（＊１２５）。
【０１２２】
プリンタサーバコンピュータＰＳは自らのジョブ管理テーブルの情報を更新し、さらに、そのことをクライアントコンピュータＣＣ１〜ＣＣ４に通知する（＊１２６）。
【０１２３】
（ｋ）  ステータスの表示
クライアントコンピュータＣＣ１〜ＣＣ４は、ステータス情報で自らが指示した印刷ジョブが完了したことを通知されると、メモリγ０２上にロードされたステータス表示アプリケーション（＊１２７）でそれをディスプレイに表示（図２０）する（＊１３０）。
【０１２４】
以上は、主として、クライアントコンピュータＣＣ１〜ＣＣ４、プリンタサーバコンピュータＰＳ及びデジタル複写機１間の情報の流れを中心として本実施例を説明したものである。
【０１２５】
図２１は、図１９のステップ＃Ｊ０７のサブルーチンであって、プリンタサーバコンピュータＰＳ内の管理テーブルを更新するフローチャートを示す。プリンタサーバコンピュータＰＳ内の給紙口管理テーブルおよびジョブ管理テーブルを、デジタル複写機１から受信したステータス情報を基にして更新する。
【０１２６】
このサブルーチンにはいる（＃Ｋ００）と、ステップ＃Ｋ０１においてプリンタサーバコンピュータＰＳからポーリング動作によってデジタル複写機１から受信したデジタル複写機１のＲＡＭ１２４の内にある管理テーブル情報を基にしてプリンタサーバコンピュータＰＳ内の管理テーブルを更新する。
【０１２７】
なお、デジタル複写機１における給紙口管理テーブルは、デジタル複写機１の用紙の有無を検出する用紙エンプティセンサＳＥ１１Ｅ〜ＳＥ１３Ｅ、用紙のサイズ／向きを検出する用紙サイズ検出センサＳＥ１１〜ＳＥ１３からの情報によって自動的に更新される。
【０１２８】
また、デジタル複写機１の管理テーブルの内容をプリンタサーバコンピュータＰＳがポーリング動作によってデジタル複写機１から受け取り、プリンタサーバコンピュータＰＳ内にある給紙口管理テーブルが更新される。
【０１２９】
ステップ＃Ｋ０２において図７に示すデジタル複写機１のジョブ管理テーブルの情報により、プリンタサーバコンピュータＰＳ内の管理テーブル（図２３）を更新し、ステップ＃Ｋ９９によりこのサブルーチンを抜ける。
【０１３０】
図２２は図１８におけるサブルーチン「クライアントから印刷ジョブ受信」（ステップ＃Ｈ０８）のフローチャートである。
【０１３１】
このフローチャートはプリンタサーバコンピュータＰＳがクライアントコンピュータＣＣ１〜ＣＣ４からジョブを受けることに関するフローチャートである。印刷する枚数、部数、両面印刷、倍率、２ｉｎ１等の印刷モード共に画像データを受信し、内容を解析した後ジョブ管理テーブルへの追加、画像データのラスタライズ、スプールを行う。また、手差ジョブ既登録の時に手差ジョブを登録するならば、先の手差ジョブ終了後に再登録する旨の通知をし、直ちに手差ジョブの登録を行うことを拒否する。
【０１３２】
このサブルーチンに入る（＃Ｍ００）と、ステップ＃Ｍ０１において内部タイマをセットする。この内部タイマは、ＣＰＵを制御するものではなく、プリンタサーバコンピュータＰＳの動作を制御するためのもので数十秒のオーダーである。
【０１３３】
ステップ＃Ｍ０２において、例えば、枚数、部数、倍率、両面印刷等の印刷モードに関する信号を受信し、次のステップ＃Ｍ０３において、プリンタサーバコンピュータＰＳ内の管理テーブルに記憶されているジョブ単位の情報のうち、給紙カセット（給紙口選択情報）が「手差」となっているかどうかで次に実行するジョブが手差印刷ジョブかどうかを解析する。
【０１３４】
ステップ＃Ｍ１０において、受信した結果が手差ジョブを意味するものでないとき、あるいは、ステップ＃Ｍ１１において、手差ジョブが既に登録されていないとき、ステップ＃Ｍ０４に飛ぶ。
【０１３５】
ステップ＃Ｍ１０及びステップＭ１１において、印刷ジョブが手差ジョブであり、且つ、手差ジョブが既に登録されているとき、ステップ＃Ｍ１２に入り、図２４に示す画面を表示し、手差ジョブが既に登録されているので、その手差ジョブが終了後に手差ジョブの登録を行うようにクライアントコンピュータＣＣ１〜ＣＣ４に通知を出し、そのまま、すなわち、特にジョブ登録要求を受け付けることなくステップ＃Ｍ０８に進む。
【０１３６】
ステップ＃Ｍ０４では、プリンタサーバコンピュータＰＳ内の管理テーブルにジョブを追加し、ステップ＃Ｍ０５にて画像データを受信する。
【０１３７】
ステップ＃０６において、受信した画像データラスタイメージ発生部γ１４でラスタライズする。ステップ＃Ｍ０７において、ラスタライズされた画像データはハードディスクγ０４に蓄積（スプール）され、印刷する順番が設定される。
【０１３８】
ステップ＃Ｍ０８において、内部タイマが終了するのを待って、ステップ＃Ｍ９９でこのサブルーチンを抜ける。
【０１３９】
先に触れたが、図２３は、プリンタサーバコンピュータＰＳ内のジョブ管理テーブルである。
【０１４０】
このテーブルにおいて、キューはジョブの登録されている場所を示している。本実施例では、エンジンすなわちデジタル複写機１には、４件のジョブまで登録することができる。「ｏｗｎｅｒ」はクライアントコンピュータＣＣ１〜ＣＣ４であり、これから発せられたジョブであることを示している。
【０１４１】
このテーブルにおいて、１ジョブ目が終了すると、２ジョブ目以降のジョブの順番が繰り上がり、５ジョブ目がデジタル複写機１に登録される。このとき、５ジョブ目のジョブＩＤ欄に「０１」が与えられることになる。そして、ジョブＩＤと「ｏｗｎｅｒ」は関連づけられており、例えば、１ジョブ目でジャムしたとき、デジタル複写機１側からはこのジョブＩＤがプリンタサーバコンピュータＰＳに送られてくるので、プリンタサーバコンピュータＰＳ内でジョブＩＤとその「ｏｗｎｅｒ」を照会して、ｏｗｎｅｒ５にその旨（ジャムしたこと）が通知される。
【０１４２】
デジタル複写機１（プリンタ側）のジョブ管理テーブルおよび給紙口管理テーブルは常時プリンタサーバコンピュータＰＳ側で監視され、プリンタサーバコンピュータＰＳのジョブ管理テーブルおよび給紙口管理テーブルに反映されているので、デジタル複写機１の状態はプリンタサーバコンピュータＰＳ側で把握することができる。
【０１４３】
以上の実施例は、デジタル複写機１とネットワークＮＷ間にプリンタサーバコンピュータＰＳが介在している。しかしながら、上記プリンタサーバコンピュータＰＳの機能をデジタル複写機１に持たせることもできる。つまり、手差ジョブの登録要求があったとき、既に他の手差ジョブが登録されている場合、その旨、及び／又は、そのため、現在手差ジョブの登録ができないことをクライアントコンピュータＣＣ１〜ＣＣ４に通知するようにしているが、デジタル複写機１にプリンタサーバコンピュータＰＳの機能を持たせ、デジタル複写機１とネットワークＮＷを直接接続するようにして、デジタル複写機１の側から同様の通知を行うようにしてもよい。
【０１４４】
【発明の効果】
本発明は、複数の印刷ジョブを記憶することができるプリンタで手差印刷ジョブを実行しようとした場合、あるユーザが、手差印刷ジョブを登録して用紙を手差給紙口に置きに行った時に、手差給紙口に用紙が置かれていると、その用紙はユーザの所望の用紙に置きかえられてしまう、即ち、ユーザが手差印刷ジョブを登録した後に、同じように他のユーザが手差印刷ジョブの登録をした場合には、すでに置いてある用紙は置き換えられてしまうので、先に登録した手差印刷ジョブは誤った用紙に印刷されてしまうといった問題は生じなくすることができるものである。
【図面の簡単な説明】
【図１】本発明のシステムの概略を示す構成図である。
【図２】本発明に係るデジタル複写機１の全体構成を示す断面図である。
【図３】本発明に係るデジタル複写機１の制御部１００の構成を示すブロック図である。
【図４】本発明に係るデジタル複写機１の制御部１００の構成を示すブロック図であって、図３に続く部分を示す。
【図５】メモリユニット部３０の構成を示す図である。
【図６】プリンタサーバコンピュータＰＳの構成図である。
【図７】管理テーブルの概略図である。
【図８】プリンタサーバコンピュータＰＳからの印刷データ受信動作の概略のシーケンスを示す図である。
【図９】印刷動作の概略を示す図である。
【図１０】デジタル複写機１の制御を統括するＣＰＵ１０５のメインフローチャートである。
【図１１】図１０におけるサブルーチン「印刷処理」（ステップ＃Ｂ０６）の内容を表すフローチャートである。
【図１２】ＣＰＵ１０６（メモリユニット）の動作を示すフローチャートである。
【図１３】ＣＰＵ１０９（外部インターフェースユニット）の動作を示すフローチャートである。
【図１４】ネットワークシステムの印刷シーケンスの概略図である。
【図１５】ネットワークシステムの印刷シーケンスの概略図である。
【図１６】プリンタドライバの画面の一つを示す図である。
【図１７】プリンタドライバの画面の一つを示す図である。
【図１８】プリンタサーバコンピュータＰＳの動作の概略を示すフローチャートである。
【図１９】図１８におけるサブルーチン「複写機へのポーリング」（ステップ＃Ｈ０３）の内容を表すフローチャートである。
【図２０】印刷ジョブ完了にともない、ステータス表示アプリケーションによりクライアントコンピュータＣＣ１〜ＣＣ４のディスプレイに表示される画面である。
【図２１】図１９におけるサブルーチン「サーバ内管理テーブル更新」（ステップ＃Ｊ０７）の内容を表すフローチャートである。
【図２２】図１８におけるサブルーチン「クライアントから印刷ジョブ受信」（ステップ＃Ｈ０８）のフローチャートである。
【図２３】プリンタサーバコンピュータＰＳ内のジョブ管理テーブルを示す図である。
【図２４】手差ジョブ既登録の時に手差ジョブを登録しようとした場合クライアントコンピュータＣＣ１〜ＣＣ４の画面に表示される通知画面の一例である。
【符号の説明】
１  デジタル複写機
１０  走査系
２０  画像信号処理部
３０  メモリユニット部
４０  印刷処理部
６０  印刷ヘッド
８０ａ、８０ｂ  用紙カセット
８０ｃ  手差給紙口
１００  制御部
１０１〜１０９  ＣＰＵ
１１１〜１１９  ＲＯＭ
１２１〜１２９  ＲＡＭ
１３６  デュアルポートＲＡＭ（ＤＰＲＡＭ）
５００  自動原稿送り装置（ＡＤＦＲ）
ＰＳ  プリンタサーバコンピュータ
ＣＣ１〜ＣＣ４  クライアントコンピュータ
ＩＲ  イメージリーダ
ＰＲＴ  ページプリンタ
ＩＵ  外部インターフェースユニット
ＯＰ  操作パネル
ＮＷ  ネットワーク
ＳＥ１１、ＳＥ１２  用紙サイズ検出センサ
ＳＥ１１Ｅ、ＳＥ１２Ｅ、ＳＥ１３Ｅ  エンプティセンサ
ＳＥ１３  手差用紙サイズ検出センサ
ＳＥ５０  原稿センサ
ＳＥ５１  原稿サイズセンサ
ＳＥ５２  排出センサ
【図１】
0004348753.tif 000002
【図２】
0004348753.tif 000003
【図３】
0004348753.tif 000004
【図４】
0004348753.tif 000005
【図５】
0004348753.tif 000006
【図６】
0004348753.tif 000007
【図７】
0004348753.tif 000008
【図８】
0004348753.tif 000009
【図９】
0004348753.tif 000010
【図１０】
0004348753.tif 000011
【図１１】
0004348753.tif 000012
【図１２】
0004348753.tif 000013
【図１３】
0004348753.tif 000014
【図１４】
0004348753.tif 000015
【図１５】
0004348753.tif 000016
【図１６】
0004348753.tif 000017
【図１７】
0004348753.tif 000018
【図１８】
0004348753.tif 000019
【図１９】
0004348753.tif 000020
【図２０】
0004348753.tif 000021
【図２１】
0004348753.tif 000022
【図２２】
0004348753.tif 000023
【図２３】
0004348753.tif 000024
【図２４】
0004348753.tif 000025